(57)【要約】【課題】  旅行用鞄等の収納用具が備える車輪に制動力を加える機構を極力簡単な構成で実現する。【解決手段】  交換用のキャスター機構３に逆Ｌ字形の開口８を形成する。開口８上部に引っ掛けた状態の抓み部９を左方向へ移動させ、かつ、下降させることにより、抓み部９と支持棒１０によって連結された磁石１１を金属からなる車軸６に吸着させる。これにより、車輪７の回転を抑制し、旅行用鞄が所有者の意に反して移動することを防止する。【選択図】        図２
2013188282.tif 000002
【特許請求の範囲】
【請求項１】
利用者の操作に応じて車軸に吸着することにより、車輪の回転を抑制する磁石を備えて構成したことを特徴とする収納用具の交換用キャスター機構。
【請求項２】
利用者の操作に応じて床面と接することにより、車輪の回転を抑制する部材を備えて構成したことを特徴とする収納用具の交換用キャスター機構。
【発明の詳細な説明】
【技術分野】
【０００１】
本発明は、収納ケースや旅行用鞄等の収納用具に取り付けられる交換用のキャスター機構に関し、車輪の回転を抑制することにより収納用具が所有者の意に反して移動することを防止する技術に関する。
【背景技術】
【０００２】
従来から、旅行用の鞄等には移動用の車輪が取り付けられている。これは、鞄の所有者が移動する際の負担を軽減することが目的であるが、同様の発想として、下記特許文献１には、車輪付きの買い物袋が提示されている。
【０００３】
下記特許文献１記載の車輪は、買い物袋を折りたたむ際に車輪を取外すことを可能に構成されているが、旅行用の鞄においても車輪の取り外しが可能であれば非常に便利である。つまり、旅行用の鞄のように車輪が酷使されるものにおいては、移動時に車輪に衝撃が加わることも日常茶飯事であり不具合や破損が生じる可能性も高い。
【０００４】
このように車輪が破損する都度、鞄本体を再購入することは不経済極まりなく、破損が生じた車輪のみ交換したい需要は存在する。
【０００５】
一方、これら車輪は、坂道等の傾斜した地点や、電車やバス等の移動手段内にて載置される場合、鞄の所有者の意図に反して鞄が移動する可能性があり、従来から車輪の回転を抑制して鞄の移動を防止する技術が種々提案されている（下記特許文献２乃至６参照）。
【先行技術文献】
【特許文献】
【０００６】
【特許文献１】実開平６−５７８２７
【特許文献２】登実第３１０９２２９号
【特許文献３】登実第３１２８２１７号
【特許文献４】特許第４１８０６４２号
【特許文献５】特開２０１０−１８８８６１
【特許文献６】登実第３１２２９２９号
【発明の概要】
【発明が解決しようとする課題】
【０００７】
然るに、上記特許文献２乃至５記載の技術は機構が複雑であり、鞄自体の大幅な改造が必要であるので、既製品として流通している鞄に適用することは困難である。また、上記特許文献６記載の技術は、鞄自体の大改造は必要ないものの、車輪の制動機構は尚も複雑であり、構成部品も多く安価に提供することは難しいものと考える。
【０００８】
そこで、本発明は、旅行用鞄等の収納用具に適用が可能な、単純な構成の制動機構を備えた交換用のキャスター機構を提供するものである。
【課題を解決するための手段】
【０００９】
請求項１記載の発明は、利用者の操作に応じて車軸に吸着する磁石を備えて交換用のキャスター機構を構成した。
【００１０】
請求項２記載の発明は、利用者の操作に応じて床面と接する部材を備えて交換用のキャスター機構を構成した。
【発明の効果】
【００１１】
請求項１記載の発明によれば、磁石の吸着力を利用して車輪の回転を抑制することができるので、車輪の制動機構を極力単純化することができる。
【００１２】
請求項２記載の発明によれば、制動部材を床面に当接させることにより車輪の回転を抑制できるので、車輪の制動機構を極力単純化することができる。
【図面の簡単な説明】
【００１３】
【図１】本発明の交換用キャスター機構を装着した旅行用鞄の正面図である。
【図２】本発明の交換用キャスター機構の一実施例を示す動作説明図である。
【図３】本発明の交換用キャスター機構の他の実施例を示す動作説明図である。
【図４】本発明の交換用キャスター機構の他の実施例を示す動作説明図である。
【発明を実施するための形態】
【００１４】
以下、本発明の実施の形態について図１および図２を用いて説明する。図１において、１は旅行用の鞄であり、２は鞄１の把手を示している。
【００１５】
３は鞄１の下面に取り付けるキャスター機構であり、鞄１の所有者が把手２を引きながら鞄１を移動させる際に利用される。キャスター機構３の鞄１への取り付けは、例えば、キャスター機構３の螺子部４を鞄１の下面に螺合させることにより行われる。
【００１６】
このように、鞄１にキャスター機構３を着脱自在に取り付けることによって、キャスター機構３が破損した場合にも、鞄１全体を買い換える必要はなく、キャスター機構３のみを交換すればよくなるので、非常に経済的である。
【００１７】
図２に本発明のキャスター機構３を拡大して示す。図２において、５は螺子部４に対して図示しない軸受を介して回転自在に取り付けられる本体部であり、６は本体部５を側方（紙面に垂直な方向）に貫通することによって、その両端を本体部５の側方から突出し、その中央部において車輪７を回転自在に支持する車軸である。なお、車軸６は金属によって構成される。
【００１８】
８は本体部５の側面に形成した逆Ｌ字形の開口であり、９は開口８内を移動する抓み部を示している。１０は抓み部９に連結されて、下端に半円弧状の磁石１１を取り付けた支持棒であり、１２は抓み部９に連結され、開口８の裏面に位置することにより、支持棒１０及び磁石１１が本体部５から抜け落ちることを防止する抜落防止部材を示している。
【００１９】
次に、本発明のキャスター機構３を利用して車輪７に制動力を加える場合について説明する。図２（ａ）に示す状態において、車輪７に制動力は加わらず、図１に示す旅行用鞄１を自由に移動可能である。
【００２０】
車輪７に制動力を加える場合、鞄１の所有者は図２（ａ）に示す抓み部９を抓み、開口８内を矢印方向（左方向）へ移動させる。その後、同図（ｂ）に示す矢印方向（下方向）へ移動させることにより、同図（ｃ）に示すように、支持棒１０の下端に取り付けた磁石１１を金属からなる車軸６に吸着させる。これにより、車輪７の回転が抑制され、図１に示す旅行用鞄１が移動することを防止できる。
【００２１】
なお、車輪７の制動状態を解除する場合は、図２（ｃ）の状態にある抓み部９を抓み上げて開口８内を上動させ、つづいて、右方向へ移動させた後、抓み部９を逆Ｌ字形の開口８上部に引っ掛けることにより、支持棒１０及び磁石１１が下降することを防止する。これにより、車輪７の制動状態は解除され、図１に示す旅行用鞄１を移動可能とする。
【００２２】
以上のように、抓み部９を開口８内で移動させる際、抓み部９は開口８の裏面に配置した抜落防止部材１２に連結されているので、抓み部９や支持棒１０及び磁石１１がキャスター機構３の本体部５から抜け落ちることはなく、開口８内を円滑に移動させることが可能となる。
【００２３】
図３は本発明の他の実施例に係るキャスター機構１３を示している。なお、図３において、図２に示すキャスター機構３と同一部材には同一符号を付して、その説明を省略する。
【００２４】
図３に示すキャスター機構１３は、本体部１４の側面にばね支持部１５を備えて構成し、金属からなる車軸６に吸着する磁石１１との間にばね部材１６を接続して構成されている。
【００２５】
そして、車輪７に制動力を加える場合は、図３に示すように、ばね部材１６の弾性力に抗して磁石１１を下方へ引っ張り、車軸６に吸着させることにより車輪７に制動力を加える。
【００２６】
車輪７の制動力を解除する場合は、磁石１１を車軸６から引き離すことにより、磁石１１は、ばね部材１６の弾性力によって上動して車軸６から離れた状態を維持することとなり、車輪７の制動力を解除する。
【００２７】
図４は本発明の更に他の実施例に係るキャスター機構１７を示している。なお、図４において、図２に示すキャスター機構３と同一部材には同一符号を付して、その説明を省略する。
【００２８】
図４に示すキャスター機構１７は、本体部５の開口８内を移動する抓み部９に連結する支持棒１８の下端に、床面１９と接触する制動板２０を接続して構成されている。
【００２９】
つまり、車輪７の回転を防止する場合、開口部８の上部に引っ掛けた状態の抓み部９を左方向へ移動させた後、下方へ移動させて、制動板２０を床面１９と接触させる。
【００３０】
この結果、図１に示す旅行用鞄１の移動は抑制され、図４に示す車輪７の回転も防止される。車輪７の回転を可能とする場合は、抓み部９を開口８内で上動及び右方向へ移動させることにより、抓み部９を逆Ｌ字形の開口８上部に引っ掛けることにより、支持棒１８及び制動板２０が下降することを防止する。これにより、図１に示す鞄１を自由に移動させることが可能となる。
【００３１】
なお、制動板２０はラバーで構成したり、床面１９と接触する面にラバーシートを貼付することにより、大きな制動力が得られるように構成すればよい。
【００３２】
以上説明したように、本発明の収納用具の交換用キャスター機構は、磁石を車軸に吸着したり、又は、制動板を床面に接触させることにより車輪の回転を抑制できるので、車輪の制動機構を極力単純化することができる。
【００３３】
また、交換用のキャスター機構に車輪の制動機構が含まれているので、車輪の制動機構を有さない旅行用鞄の車輪を交換する際に、制動機構を有する車輪を装着することも可能となる。
【産業上の利用可能性】
【００３４】
移動用の車輪を備えた収納用具に適用可能である。特に、旅行用鞄や家庭用の収納ケースが好適である。
【符号の説明】
【００３５】
１  旅行用鞄
２  把手
３，１３，１７  キャスター機構
４  螺子部
５，１４  本体部
６  車軸
７  車輪
８  開口
９  抓み部
１０，１８  支持棒
１１  磁石
１２  抜落防止部材
１５  ばね支持部
１６  ばね部材
１９  床面
２０  制動板
【図１】
2013188282.tif 000003
【図２】
2013188282.tif 000004
【図３】
2013188282.tif 000005
【図４】
2013188282.tif 000006